(57)【要約】      （修正有）【課題】バネホックの連結性能を向上させると共に、製造コストの削減を図る。【解決手段】１本の金属線を屈曲してなるバネホック１０であって、第１疑似リング１２と、第１線部１３と、第２線部１４と、第３線部１５と、第４線部１７と、第５線部１８と、第６線部１９と、第２疑似リング２０を有する。さらに前記第２疑似リング２０の末端から、前記第１線部１３と前記第６線部１９の間を途中まで延びて形成され、そこで終止している起伏部２１を有する。【選択図】図１
2010022738.tif 000002
【特許請求の範囲】
【請求項１】
バネホック（１０）であって、
起点（１１）から延びて形成された第１疑似リング（１２）と、
第１疑似リング（１２）から前方へ延びて形成された第１線部（１３）と、
前記第１線部（１３）からほぼ垂直に立ち上がって形成された第２線部（１４）と、
前記第２線部（１４）から、後方に伸びて形成された第３線部（１５）と、
前記第３線部（１５）からＵターン部（１６）を介して、前方に向かって延びて形成された第４線部（１７）と、
前記第４線部（１７）から前記第２線部（１４）と平行に下降させて形成された第５線部（１８）と、
前記第５線部（１８）から後方に向かって前記第１線部（１３）と平行に形成された第６線部（１９）と、
前記第６線部（１９）の末端に形成された第２疑似リング（２０）と、
前記第２疑似リング（２０）の末端から、前記第１線部（１３）と前記第６線部（１９）の間を途中まで延びて形成され、そこで終止している起伏部（２１）とを
有することを特徴とするバネホック。
【請求項２】
前記Ｕターン部（１６）周辺が外方へ向かって傾斜している請求項１記載のバネホック。
【発明の詳細な説明】
【技術分野】
【０００１】
本発明は、バネホックに関する。１本の金属線を屈曲させて成形するのが一般的であるが、プラスチック成形したものも含まれる。
【背景技術】
【０００２】
現在最もよく用いられているバネホックは、下記特許文献１の図３に示されているものである。基本的な変化がないまま、半世紀以上も使用されているのは、この技術が製造面及び使用面で非常に完成度が高いためであろう。もしそうなら改良が難しい技術分野といえるのかも知れない。
【特許文献１】実公昭２５−８２５３号
【発明の開示】
【発明が解決しようとする課題】
【０００３】
本発明は、上記従来技術のバネホックに対して、連結性能を向上させると共に、製造コストの削減を図ることを目的とする。
【課題を解決するための手段】
【０００４】
本発明のバネホックは、起点から延びて形成された第１疑似リングと、第１疑似リングから前方へ延びて形成された第１線部と、前記第１線部から垂直に立ち上がって形成された第２線部と、前記第２線部から、後方に伸びて形成された第３線部と、前記第３線部からＵターン部を介して、前方に向かって延びて形成された第４線部と、前記第４線部から前記第２線部と平行に下降させて形成された第５線部と、前記第５線部から後方に向かって前記第１線部と平行に形成された第６線部と、前記第６線部の末端に形成された第２疑似リングと、前記第２疑似リングの末端から、前記第１線部と前記第６線部の間を途中まで延びて形成され、そこで終止している起伏部とを有することを特徴とする。
【発明の効果】
【０００５】
本発明によれば、起伏部は、第２疑似リングの末端から、第１線部と第６線部の間を途中まで延びて形成され、そこで終止している。本発明の構成によれば、後に図３及び図４に関して比較説明するように、起伏部のバネとしての強度が強いので、バネホックは留め金にしっかりと連結される。そのため不用意に外れることもなく安定している。さらに、使用する材料が少なくて済むので、コストダウンにつながる。
【発明を実施するための最良の形態】
【０００６】
冒頭に記したとおり、本発明のバネホックし金属線によって成形するのが一般的であるが、プラスチックで一体成形してもよい。
【０００７】
本発明において「疑似リング」とは完全に閉鎖したリングではなく、曲線部のつなぎ目でリングとしてつながらずに、さらにリング外へ延長しているものをいう。
【０００８】
また、本発明において「平行」とは、厳密な意味で完全に平行でなくてもよく、例えば１０°以下程度の傾きは許容される。
【０００９】
また本発明において「線部」とは、直線であることが一般的であるが、ある程度の曲線も含まれるほか、例えば、次のような例外がある。
【００１０】
前記Ｕターン部周辺は直線ではなく、外方へ向かって傾斜させるのが好ましい。この傾斜にはバネホックを留め金に掛け易くする効果がある。
【００１１】
また、第２線部と第５線部も、直線でなくてもよく、特許文献１に見られるような曲線でもよい。
【実施例１】
【００１２】
以下、添付の図面に基づき、本発明の１実施例を説明する。
【００１３】
図１は、本発明に係るバネホック１０の全体斜視図である。留め金（アイ）３０と連結した状態を表している。それぞれは、リング部が糸で生地に縫い付けられることにより、衣服の開閉部などに固定される。
【００１４】
図２（ａ）は平面図、（ｂ）は底面図、（ｃ）は側面図である。
【００１５】
これらの図に示すように、この実施例のバネホック１０は、１本の金属線を屈曲してなる。符号１１を起点とすれば、第１疑似リング１２を形成した後、前方へ延びて第１線部１３を形成し、次に垂直に立ち上がって第２線部１４を形成する。この第２線部１４から、後方に伸びて第３線部１５を形成する。この第３線部１５の後部からＵターン部１６となり、前方に向かって延びて第４線部１７を形成する。続いて、第４線部１７から第２線部１４に平行に下降して第５線部１８を形成する。続いて、後方に向かって第１線部１３と平行に第６線部１９を形成する。この第６線部１９の末端に第２疑似リング２０が形成される。第２疑似リング２０の末端から、第１線部１３と第６線部１９の間を途中まで延びて起伏部２１を形成した後、符号２２において終止する。
【００１６】
ここで、起伏部２１は平坦部と山形の突起部からなる。第１線部１３と第６線部１９、第２線部１４と第５線部１８、第３線部１５と第４線部１７は、それぞれほぼ同じ長さである。第１、第６線部１３，１９と第３、第４線部１５，１７は、ほぼ平行である。また、第１疑似リング１２と第２疑似リング２０はほぼ同じ大きさである。
【００１７】
第３線部１５と第４線部１７の境界をなすＵターン部１６は、図２（ｃ）に示すように、少し上向きに立ち上がって傾斜部を形成している。この傾斜にはバネホック１０を留め金３０に掛け易くする効果がある。
【００１８】
本発明が従来例と最も異なるのは、起伏部を形成した後、金属線が符号２２で終止していることである。従来例では、例えば前記特許文献１の図３に見られるように、起伏部からさらに延びて、再び立ち上がり、その後、また第３線部と第４線部の間を進み、Ｕターン部の付近になってやっと終止する。
【００１９】
図３と図４を使用して、本発明のバネホックと前記特許文献１の図３のバネホックとを比較する。
【００２０】
本発明のバネホック（図３）では、留め金３０にバネホック１０を掛けると、起伏部２１と第３，第４線部１５，１７に挟まれた狭窄部で抵抗を受ける。末端２２は自由端であるので、起伏部２１は自由に下方へ動くことができる。この狭窄部を抜けると起伏部は元の位置に回復するので、バネホック１０と留め金３０は連結される。
【００２１】
それに対して、前記特許文献１の図３のバネホック（図４）では、起伏部２１Ａの末端は自由端ではなく、上記したように、起伏部２１Ａからさらに延びて、立ち上がり部２３と第７線部２４を有する。したがって、留め金３０Ａが狭窄部で抵抗を受けると、留め金は、第３，第４線部１５Ａ，１７Ａ及び第７線部２４を持ち上げる。３本の金属線からなるので、起伏部２１Ａのバネとしての強度は強すぎるものとなり、長期間使用しているうちにバネの復元力が弱る原因となる。
【００２２】
本発明によれば、起伏部２１には、従来例の第７線部のような余分な力が加わらず、バネとしての強度が強いので、バネホック１０は留め金３０にしっかりと連結される。そのため不用意に外れることもなく安定している。さらに、使用する金属線が少なくて済むので、コスト削減につながる。
【図面の簡単な説明】
【００２３】
【図１】本発明に係るバネホック１０の全体斜視図である。留め金（アイ）３０と連結した状態を表している。
【図２】（ａ）は平面図、（ｂ）は底面図、（ｃ）は側面図である。
【図３】本発明のバネホックの使用状態の断面図である。
【図４】前記特許文献１の図３のバネホックの使用状態の断面図である。
【符号の説明】
【００２４】
１０   バネホック
１１   起点
１２   疑似リング
１３   第１線部
１４   第２線部
１５   第３線部
１６   Ｕターン部
１７   第４線部
１８   第５線部
１９   第６線部
２０   疑似リング
２１，２１Ａ  起伏部
２２   末端
３０，３０Ａ  留め金
【図１】
2010022738.tif 000003
【図２】
2010022738.tif 000004
【図３】
2010022738.tif 000005
【図４】
2010022738.tif 000006